(57)【要約】【課題】ユーザが電子ペンを用いて筆跡データを入力している段階で筆跡データを修飾することが可能な、新規かつ改良された技術を提供する。【解決手段】情報処理システム１０は、電子ペン１００と、電子ペン１００のペン先の位置を検出して電子ペンのペン先の位置を示す位置情報を取得する位置検出部と、位置情報が示す位置に対する修飾を識別するための修飾ＩＤを記憶する修飾ＩＤ記憶部と、修飾ＩＤを更新する修飾ＩＤ更新部と、を有し、記憶部と、修飾ＩＤ記憶部によって記憶されている修飾ＩＤと位置検出部によって取得された位置情報とを対応付けて対応情報として記憶部に登録する登録処理部と、を備える、レシーバ２００、を有する。【選択図】図１
2011123833.tif 000002
【特許請求の範囲】
【請求項１】
電子ペンと、
前記電子ペンのペン先の位置を検出して前記電子ペンのペン先の位置を示す位置情報を取得する位置検出部と、
前記位置情報が示す位置に対する修飾を識別するための修飾ＩＤを記憶する修飾ＩＤ記憶部と、
前記修飾ＩＤを更新する修飾ＩＤ更新部と、を有し、
記憶部と、前記修飾ＩＤ記憶部によって記憶されている前記修飾ＩＤと前記位置検出部によって取得された前記位置情報とを対応付けて対応情報として前記記憶部に登録する登録処理部と、を備える、受信装置、
を有する、情報処理システム。
【請求項２】
前記修飾ＩＤ記憶部および前記修飾ＩＤ更新部は、
前記電子ペンに備えられている、
請求項１に記載の情報処理システム。
【請求項３】
前記修飾ＩＤ更新部は、
前記電子ペンの表面に設けられたボタンを含んでおり、前記ボタンがユーザによって押下された際に、押下された前記ボタンに対応するＩＤによって前記修飾ＩＤを更新する、
請求項２に記載の情報処理システム。
【請求項４】
前記修飾ＩＤ更新部は、
前記電子ペンの表面に設けられたスライドを含んでおり、前記スライドがユーザによって移動された際に、移動後に前記スライドが合わせられた位置に対応するＩＤによって前記修飾ＩＤを更新する、
請求項２に記載の情報処理システム。
【請求項５】
前記修飾ＩＤ更新部は、
前記電子ペンをねじることによって回転させることが可能な回転調整部を含んでおり、前記回転調整部がユーザによって回転させられた際に、回転後に前記回転調整部が合わせられた位置に対応するＩＤによって前記修飾ＩＤを更新する、
請求項２に記載の情報処理システム。
【請求項６】
前記位置情報が示す位置に対する修飾は、
前記位置情報が示す位置をディスプレイに表示する際または紙面上に印刷する際に前記位置を着色するために使用される色を示す、
請求項１に記載の情報処理システム。
【請求項７】
前記修飾ＩＤ記憶部および前記修飾ＩＤ更新部は、
前記受信装置に備えられている、
請求項１に記載の情報処理システム。
【請求項８】
前記位置検出部によって取得された前記位置情報を解析し、前記位置情報が所定区画内の位置を示すものであると判断した場合には、前記修飾ＩＤ更新部に、前記所定区画に対応するＩＤによって前記修飾ＩＤ記憶部によって記憶されている前記修飾ＩＤを更新させる位置判断部、
をさらに備える、請求項１に記載の情報処理システム。
【請求項９】
前記修飾ＩＤ更新部は、
前記電子ペンのペン先と反対側の端部にある圧力センサを含んでおり、前記圧力センサによって圧力が検出された際に、前記電子ペンのペン先と反対側の端部に対応するＩＤによって前記修飾ＩＤを更新し、
前記位置検出部は、
前記電子ペンのペン先と反対側の端部の位置を検出して、前記位置情報として前記電子ペンのペン先と反対側の端部の位置を示す位置情報を取得する、
請求項２に記載の情報処理システム。
【請求項１０】
前記位置検出部は、
前記電子ペンに備えられている、
請求項１に記載の情報処理システム。
【請求項１１】
前記位置検出部は、
前記受信装置に備えられている、
請求項１に記載の情報処理システム。
【請求項１２】
電子ペンと、
前記電子ペンのペン先の位置を検出して前記電子ペンのペン先の位置を示す位置情報を取得する位置検出部と、
前記位置情報が示す位置に対する修飾を識別するための修飾ＩＤを記憶する修飾ＩＤ記憶部と、
前記修飾ＩＤを更新する修飾ＩＤ更新部と、を有し、
記憶部と、前記修飾ＩＤ記憶部によって記憶されている前記修飾ＩＤと前記位置検出部によって取得された前記位置情報とを対応付けて対応情報として前記記憶部に登録する登録処理部と、前記対応情報を送信する送信部と、を備える、受信装置と、
表示部と、前記受信装置から送信された前記対応情報を受信する受信部と、前記受信部によって受信された前記対応情報を、前記位置情報が示す位置に前記修飾ＩＤによって識別される修飾を施して前記表示部に表示させる制御部と、を備える、情報処理装置と、
を有する、情報処理システム。
【請求項１３】
電子ペンを有するとともに、
前記電子ペンのペン先の位置を検出して前記電子ペンのペン先の位置を示す位置情報を取得する位置検出部と、前記位置検出部によって検出された前記位置情報を送信する送信部と、を備える、受信装置と、
記憶部と、前記受信装置から送信された前記位置情報を受信する受信部と、前記受信部によって受信された前記位置情報を前記記憶部に記憶させる制御部と、前記記憶部によって記憶されている前記位置情報に基づいて、前記位置情報が示す位置に対する修飾を識別するための修飾ＩＤを特定するとともに前記修飾ＩＤを付加すべきエリアである修飾ＩＤ変更エリアを特定し、特定した前記修飾ＩＤを特定した前記修飾ＩＤ変更エリアの前記位置情報に付加する更新処理部と、を備える、情報処理装置と、
を有する、情報処理システム。
【請求項１４】
前記更新処理部は、
前記記憶部によって記憶されている前記位置情報に基づいて、前記位置情報に所定のマークが存在するか否かを判断し、前記所定のマークが存在すると判断した場合に前記所定のマークによって規定される位置に対して付される色を識別するためのＩＤを前記修飾ＩＤとして特定する、
請求項１３に記載の情報処理システム。
【請求項１５】
前記更新処理部は、
前記記憶部によって記憶されている前記位置情報に基づいて、前記位置情報に所定のマークが存在するか否かを判断し、前記所定のマークが存在すると判断した場合に前記所定のマークによって規定される位置情報を消去する旨を識別するためのＩＤを修飾ＩＤとして特定する、
請求項１３に記載の情報処理システム。
【請求項１６】
自己の位置に対する修飾を識別するための修飾ＩＤを記憶する修飾ＩＤ記憶部と、
前記修飾ＩＤを更新する修飾ＩＤ更新部と、
を備える、電子ペン。
【発明の詳細な説明】
【技術分野】
【０００１】
本発明は、情報処理システムおよび電子ペンに関する。
【背景技術】
【０００２】
近年、筆跡データを入力することが可能な電子ペンとして様々な方式によるものが知られている。電子ペンの方式としては、例えば、電磁誘導方式や、抵抗膜方式、赤外線・超音波方式、アノト（登録商標）方式などがある。電子ペンに関する技術としては、様々なものが開示されているが、例えば、赤外線・超音波方式による電子ペンを、ユーザに持ち替えさせることなく、ジョイスティックやマウスといった補助入力装置として機能させる技術について開示されている（例えば、特許文献１参照）。
【０００３】
ところで、ユーザが電子ペンを使用して筆跡データを入力しているときに、筆跡データの色を変更したり筆跡データを消したりすることが必要な状況になることがある。そのような場合には、ユーザは、例えば、電子ペンによって入力された筆跡データをＰＣ（Ｐｅｒｓｏｎａｌ  Ｃｏｍｐｕｔｅｒ）などに取り込ませ、ディスプレイ上に筆跡データを表示させながら、筆跡データの色を変更したり筆跡データを消したりする操作をマウスなどの入力装置を用いて行う必要があった。なお、以下において、筆跡データの色を変更したり筆跡データを消したりというような、筆跡データの属性を示す情報を変更することを、単に「筆跡データを修飾する」と言う場合がある。また、後に説明するように「筆跡データを修飾する」という動作は、筆跡データの属性を示す情報を変更する以外の動作であってもよい。
【先行技術文献】
【特許文献】
【０００４】
【特許文献１】特開２００７−１２２６５９号公報
【発明の概要】
【発明が解決しようとする課題】
【０００５】
しかしながら、ユーザがディスプレイ上に筆跡データを表示させながら、筆跡データを修飾する操作をマウスなどの入力装置を用いて行う技術では、ユーザが筆跡データを入力している段階で筆跡データを修飾することができないという問題があった。すなわち、例えば、ユーザが筆跡データを入力している段階で筆跡データを修飾したいと考えたとしても、実際に修飾するための操作は、ＰＣに取り込ませた後に行う必要があった。そのために、ユーザは、自身が筆跡データを入力している段階で考えた筆跡データに対する修飾について、筆跡データをＰＣに取り込ませた後に思い出さなくてはならず、ユーザに負担がかかるという問題があった。
【０００６】
そこで、本発明は、上記問題に鑑みてなされたものであり、本発明の目的とするところは、ユーザが電子ペンを用いて筆跡データを入力している段階で筆跡データを修飾することが可能な、新規かつ改良された技術を提供することにある。
【課題を解決するための手段】
【０００７】
上記課題を解決するために、本発明のある観点によれば、電子ペンと、電子ペンのペン先の位置を検出して電子ペンのペン先の位置を示す位置情報を取得する位置検出部と、位置情報が示す位置に対する修飾を識別するための修飾ＩＤを記憶する修飾ＩＤ記憶部と、修飾ＩＤを更新する修飾ＩＤ更新部と、を有し、記憶部と、修飾ＩＤ記憶部によって記憶されている修飾ＩＤと位置検出部によって取得された位置情報とを対応付けて対応情報として記憶部に登録する登録処理部と、を備える、受信装置、を有する、情報処理システムが提供される。
【０００８】
修飾ＩＤ記憶部および修飾ＩＤ更新部は、電子ペンに備えられていることとしてもよい。また、修飾ＩＤ更新部は、電子ペンの表面に設けられたボタンを含んでおり、ボタンがユーザによって押下された際に、押下されたボタンに対応するＩＤによって修飾ＩＤを更新することとしてもよい。また、修飾ＩＤ更新部は、電子ペンの表面に設けられたスライドを含んでおり、スライドがユーザによって移動された際に、移動後にスライドが合わせられた位置に対応するＩＤによって修飾ＩＤを更新することとしてもよい。
【０００９】
修飾ＩＤ更新部は、電子ペンをねじることによって回転させることが可能な回転調整部を含んでおり、回転調整部がユーザによって回転させられた際に、回転後に回転調整部が合わせられた位置に対応するＩＤによって修飾ＩＤを更新することとしてもよい。また、位置情報が示す位置に対する修飾は、位置情報が示す位置をディスプレイに表示する際または紙面上に印刷する際に位置を着色するために使用される色を示すこととしてもよい。修飾ＩＤ記憶部および修飾ＩＤ更新部は、受信装置に備えられていることとしてもよい。
【００１０】
情報処理システムは、位置検出部によって取得された位置情報を解析し、位置情報が所定区画内の位置を示すものであると判断した場合には、修飾ＩＤ更新部に、所定区画に対応するＩＤによって修飾ＩＤ記憶部によって記憶されている修飾ＩＤを更新させる位置判断部、をさらに備えることとしてもよい。
【００１１】
修飾ＩＤ更新部は、電子ペンのペン先と反対側の端部にある圧力センサを含んでおり、圧力センサによって圧力が検出された際に、電子ペンのペン先と反対側の端部に対応するＩＤによって修飾ＩＤを更新し、位置検出部は、電子ペンのペン先と反対側の端部の位置を検出して、位置情報として電子ペンのペン先と反対側の端部の位置を示す位置情報を取得することとしてもよい。
【００１２】
位置検出部は、電子ペンに備えられていることとしてもよい。また、位置検出部は、受信装置に備えられていることとしてもよい。
【発明の効果】
【００１３】
以上説明したように本発明によれば、ユーザが電子ペンを用いて筆跡データを入力している段階で筆跡データを修飾することが可能である。
【図面の簡単な説明】
【００１４】
【図１】本発明の第１実施形態に係る情報処理システムの構成を示す図である。
【図２】同実施形態に係る電子ペンの位置を検出する原理の一例を説明するための図である。
【図３】同実施形態に係る修飾ＩＤ更新部（筆跡データの色を変更する構成要素）を構成するボタンが表面に設けられた電子ペンの概観を示す図である。
【図４】同実施形態に係る修飾ＩＤ更新部（筆跡データの色を変更する構成要素）を構成するスライドが表面に設けられた電子ペンの概観を示す図である。
【図５】同実施形態に係る修飾ＩＤ更新部（筆跡データの色を変更する構成要素）を構成する回転調整部が設けられた電子ペンの概観を示す図である。
【図６】同実施形態に係る修飾ＩＤ更新部（筆跡データの色を変更する構成要素）を構成するボタンが表面に設けられたレシーバの概観を示す図である。
【図７】同実施形態に係る修飾ＩＤ更新部（筆跡データの色を変更する構成要素）を構成するスライドが表面に設けられたレシーバの概観を示す図である。
【図８】同実施形態に係る修飾ＩＤ更新部（筆跡データの色を変更する構成要素）が電子ペンに設けられ、位置検出部がレシーバに設けられている場合における電子ペンの機能構成を示す図である。
【図９】同実施形態に係る修飾ＩＤ更新部（筆跡データの色を変更する構成要素）が電子ペンに設けられ、位置検出部がレシーバに設けられている場合におけるレシーバの機能構成を示す図である。
【図１０】同実施形態に係る情報処理装置の機能構成を示す図である。
【図１１】同実施形態に係る修飾ＩＤ更新部（筆跡データの色を変更する構成要素）を構成するボタンが電子ペンに設けられている場合に電子ペンによって実行される処理の流れを示すフローチャートである。
【図１２】同実施形態に係る修飾ＩＤ更新部（筆跡データの色を変更する構成要素）を構成するボタンが電子ペンに設けられている場合にレシーバによって実行される処理の流れを示すフローチャートである。
【図１３】本発明の第２実施形態に係るレシーバの機能構成を示す図である。
【図１４】同実施形態に係るレシーバの使用例を示す図である。
【図１５】同実施形態に係るレシーバによって実行される処理の流れを示すフローチャートである。
【図１６】本発明の第３実施形態に係る情報処理装置の機能構成を示す図である。
【図１７】同実施形態に係る情報処理装置によって筆跡データの色を変更する手法について説明するための図である。
【図１８】同実施形態に係る情報処理装置によって筆跡データの色を変更する段階について説明するための図である。
【図１９】同実施形態に係る情報処理装置によって筆跡データの色を変更する処理の流れを示すフローチャートである。
【図２０】本発明の第４実施形態に係る修飾ＩＤ更新部（筆跡データを消す構成要素）を構成する消しゴムがペン先と反対側の端部に設けられた電子ペンの概観を示す図である。
【図２１】同実施形態に係る修飾ＩＤ更新部（筆跡データを消す構成要素）を構成する消しゴムが設けられたスティックの概観を示す図である。
【図２２】同実施形態に係る修飾ＩＤ更新部（筆跡データを消す構成要素）を構成するスライドが表面に設けられた電子ペンの概観を示す図である。
【図２３】同実施形態に係る修飾ＩＤ更新部（筆跡データを消す構成要素）を構成するボタンが表面に設けられたレシーバの概観を示す図である。
【図２４】同実施形態に係る修飾ＩＤ更新部（筆跡データを消す構成要素）を構成するスライドが表面に設けられたレシーバの概観を示す図である。
【図２５】同実施形態に係る修飾ＩＤ更新部（筆跡データを消す構成要素）を構成する消しゴムが電子ペンに設けられている場合に電子ペンによって実行される処理の流れを示すフローチャートである。
【図２６】同実施形態に係る修飾ＩＤ更新部（筆跡データを消す構成要素）を構成する消しゴムが電子ペンに設けられている場合にレシーバによって実行される処理の流れを示すフローチャートである。
【図２７】本発明の第５実施形態に係る情報処理装置によって筆跡データを消す段階（手法１）について説明するための図である。
【図２８】同実施形態に係る情報処理装置によって筆跡データを消す段階（手法２）について説明するための図である。
【図２９】同実施形態に係る情報処理装置によって筆跡データを消す段階（手法３）について説明するための図である。
【図３０】同実施形態に係る情報処理装置によって筆跡データを消す処理の流れを示すフローチャートである。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．第１実施形態（電子ペンまたは受信装置が筆跡データの色を変更する場合）
１−１．  情報処理システムの構成
１−２．  電子ペンの位置を検出する原理の一例
１−３．  色を変更するためのボタンが電子ペンに設けられている場合
１−４．  色を変更するためのスライドが電子ペンに設けられている場合
１−５．  色を変更するための回転調整部が電子ペンに設けられている場合
１−６．  色を変更するためのボタンがレシーバに設けられている場合
１−７．  色を変更するためのスライドがレシーバに設けられている場合
１−８．  電子ペンの機能構成
１−９．  レシーバの機能構成
１−１０．情報処理装置の機能構成
１−１１．電子ペンにボタンが存在する場合に電子ペンによって実行される処理
１−１２．電子ペンにボタンが存在する場合にレシーバによって実行される処理
２．第２実施形態（色を指定するための区画が配置された専用紙を使用する場合）
２−１．  レシーバの機能構成
２−２．  専用紙を使用する場合におけるレシーバの使用例
２−３．  レシーバによって実行される処理
３．第３実施形態（情報処理装置が筆跡データの色を変更する場合）
３−１．  情報処理装置の機能構成
３−２．  情報処理装置によって筆跡データの色を変更する手法
３−３．  情報処理装置によって筆跡データの色を変更する段階
３−４．  情報処理装置によって実行される処理
４．第４実施形態（電子ペンまたは受信装置が筆跡データを消す場合）
４−１．  筆跡データを消すための消しゴムが電子ペンに設けられている場合
４−２．  筆跡データを消すための消しゴムがスティックに設けられている場合
４−３．  筆跡データを消すためのスライドが電子ペンに設けられている場合
４−４．  筆跡データを消すためのボタンがレシーバに設けられている場合
４−５．  筆跡データを消すためのスライドがレシーバに設けられている場合
４−６．  電子ペンに消しゴムが存在する場合に電子ペンによって実行される処理
４−７．  電子ペンに消しゴムが存在する場合にレシーバによって実行される処理
５．第５実施形態（情報処理装置が筆跡データを消す場合）
５−１．  情報処理装置によって筆跡データを消す段階（手法１）
５−２．  情報処理装置によって筆跡データを消す段階（手法２）
５−３．  情報処理装置によって筆跡データを消す段階（手法３）
５−４．  情報処理装置によって実行される処理
６．変形例
７．まとめ
【００１７】
＜１．第１実施形態（電子ペンまたは受信装置が筆跡データの色を変更する場合）＞
まず、本発明の第１実施形態について説明する。本発明の第１実施形態は、情報処理システムを構成する電子ペンまたは受信装置が筆跡データの色を変更する形態である。
【００１８】
［１−１．情報処理システムの構成］
図１は、本発明の第１実施形態に係る情報処理システムの構成を示す図である。図１を参照して、同実施形態に係る情報処理システムの構成について説明する。第１実施形態では、筆跡データの色を変更する構成を電子ペンまたは受信装置が有する場合を想定している。
【００１９】
図１に示すように、本発明の第１実施形態に係る情報処理システム１０は、少なくとも、筆跡データの入力を受け付ける電子ペン１００と、筆跡データと修飾ＩＤとを対応付けて記憶するレシーバ２００とを有するものである。レシーバ２００は、受信装置の一例として機能するものである。なお、上記したように、筆跡データの色を変更したり筆跡データを消したりというような、筆跡データの属性を示す情報を変更することを、単に「筆跡データを修飾する」と言い、修飾ＩＤは、筆跡データに対する修飾の種類を識別するためのものである。また、「筆跡データを修飾する」という動作は、筆跡データの属性を示す情報を変更する以外の動作であってもよく、例えば、所定の箇所（ユーザによって特定された変更したい箇所など）の背景の属性（色など）を変更する動作であってもよい。また、所定の箇所に図面を挿入する動作であってもよい。また、情報処理システム１０は、情報処理装置３００をさらに有することとしてもよい。情報処理装置３００は、例えば、ケーブルＣＡによってレシーバ２００に接続され、レシーバ２００から取得した筆跡データを表示する処理などを行う。
【００２０】
ユーザが電子ペン１００によって紙などに対して筆記を行うと、電子ペン１００の位置が電子ペン１００またはレシーバ２００によって検出され、検出された位置は位置情報として取得され、最終的に情報処理装置３００に筆跡データとして表示される。上記したように、電子ペン１００の位置を検出する手法には、電磁誘導方式や、抵抗膜方式、赤外線・超音波方式、アノト（登録商標）方式などといった様々なものがあり、特に限定されるものではないが、本実施形態では、特に、赤外線・超音波方式を使用する場合について説明する。赤外線・超音波方式では、電子ペン１００のペン先に、例えば、送信装置１１０が備え付けられており、送信装置１１０が発信する赤外線および超音波をレシーバ２００が受信すると、レシーバ２００は、受信した赤外線および超音波に基づいて電子ペン１００の位置を検出する。赤外線・超音波方式の原理については、図２を用いて詳述する。
【００２１】
電子ペン１００の位置は、常時検出されることとしてもよいし、所定の期間ごとに検出されることとしてもよい。すなわち、例えば、赤外線および超音波は、常時発信されることとしてもよいし、所定期間ごとに発信されることとしてもよい。また、電子ペン１００の位置は、ユーザが筆記している間だけ検出されることとしてもよい。例えば、電子ペン１００のペン先に圧力センサが備えられており、ユーザが筆記している間にペン先が押されることによって生じる圧力を圧力センサが検出すると、送信装置１１０から赤外線および超音波が発信され、レシーバ２００は、赤外線および超音波を受信したときに電子ペン１００の位置を検出することとしてもよい。
【００２２】
なお、本実施形態では、電子ペン１００にインクが充填されており、ユーザが電子ペン１００を使用して紙などに筆記を行うと、電子ペン１００に充填されているインクが筆記した跡に対して付着されることとしてもよい。このようにすれば、紙面上においてもユーザは筆跡を確認することができる。
【００２３】
［１−２．電子ペンの位置を検出する原理の一例］
図２は、本発明の第１実施形態に係る電子ペンの位置を検出する原理の一例を説明するための図である。図２を参照して、同実施形態に係る電子ペンの位置を検出する原理の一例について説明する。
【００２４】
図２に示すように、電子ペン１００の送信装置１１０には、スピーカ１１１とＬＥＤ（Ｌｉｇｈｔ  Ｅｍｉｔｔｉｎｇ  Ｄｉｏｄｅ）１１２とが備えられている。スピーカ１１１からの超音波とＬＥＤ１１２からの赤外線とは略同時に発信される。また、レシーバ２００には、マイク２１１Ａとマイク２１１Ｂとフォトダイオード２１２とが備えられている。フォトダイオード２１２はＬＥＤ１１２から発信された赤外線を受信し、マイク２１１Ａおよびマイク２１１Ｂは、スピーカ１１１から発信された超音波を受信する。このときに、レシーバ２００は、マイク２１１Ａによって超音波が受信された時刻と、マイク２１１Ｂによって超音波が受信された時刻と、フォトダイオード２１２によって赤外線が受信された時刻とに基づいて、送信装置１１０の位置、すなわち、電子ペン１００の位置を検出する。レシーバ２００によって、電子ペン１００の位置が検出されると、電子ペン１００の位置情報が、例えば、ｘｙ座標として取得される。レシーバ２００は、例えば、取得した位置情報をレシーバ２００に内蔵されたＦＬＡＳＨメモリなどに記録する。
【００２５】
より詳細には、マイク２１１Ａとマイク２１１Ｂとの距離Ｒ０は一定であり、既にレシーバ２００によって記憶されている。また、レシーバ２００は、赤外線がフォトダイオード２１２によって受信されてから超音波がマイク２１１Ａによって受信されるまでの経過時間ｔ１をもとに距離Ｒ１を算出する。同様に、レシーバ２００は、赤外線がフォトダイオード２１２によって受信されてから超音波がマイク２１１Ｂによって受信されるまでの経過時間ｔ２をもとに距離Ｒ２を算出する。レシーバ２００は、距離Ｒ０と距離Ｒ１と距離Ｒ２とに基づいて、電子ペン１００の位置を検出する。以上が、電子ペンの位置を検出する原理の一例である。
【００２６】
［１−３．色を変更するためのボタンが電子ペンに設けられている場合］
図３は、本発明の第１実施形態に係る修飾ＩＤ更新部（筆跡データの色を変更する構成要素）を構成するボタンが表面に設けられた電子ペンの概観を示す図である。図３を参照して、同実施形態に係る修飾ＩＤ更新部（筆跡データの色を変更する構成要素）を構成するボタンが表面に設けられた電子ペンについて説明する。
【００２７】
図３に示すように、例えば、筆跡データの色を変更する構成要素の一例として、ボタン１３０Ａが電子ペン１００Ａに備えられていることとすることができる。図３に示す例では、ボタン１３０Ａが３つ電子ペン１００Ａに備えられているが、ボタン１３０Ａの数は特に限定されるものではない。ボタン１３０Ａは、例えば、図３に示すように、色ごとに別個に用意され、ユーザによって押下されたボタン１３０Ａに対応する色ＩＤによって修飾ＩＤ記憶部（電子ペン１００に内蔵されたＦＬＡＳＨメモリなど）に記憶されている修飾ＩＤが更新されることとしてもよい。あるいは、ユーザによってボタン１３０Ａが押下されるたびに異なる色ＩＤによって修飾ＩＤ記憶部に記憶されている修飾ＩＤがサイクリックに更新されることとしてもよい。
【００２８】
［１−４．色を変更するためのスライドが電子ペンに設けられている場合］
図４は、本発明の第１実施形態に係る修飾ＩＤ更新部（筆跡データの色を変更する構成要素）を構成するスライドが表面に設けられた電子ペンの概観を示す図である。図４を参照して、同実施形態に係る修飾ＩＤ更新部（筆跡データの色を変更する構成要素）を構成するスライドが表面に設けられた電子ペンについて説明する。
【００２９】
図４に示すように、例えば、筆跡データの色を変更する構成要素の一例として、スライド１３０Ｂが電子ペン１００Ｂに備えられていることとすることができる。スライド１３０Ｂは、例えば、図４に示すように、色を選択できるように各色に対応する印が用意されており、ユーザによってスライド１３０Ｂが合わせられた印に対応する色ＩＤによって修飾ＩＤ記憶部（電子ペン１００に内蔵されたＦＬＡＳＨメモリなど）に記憶されている修飾ＩＤが更新される。
【００３０】
［１−５．色を変更するための回転調整部が電子ペンに設けられている場合］
図５は、本発明の第１実施形態に係る修飾ＩＤ更新部（筆跡データの色を変更する構成要素）を構成する回転調整部が設けられた電子ペンの概観を示す図である。図５を参照して、同実施形態に係る修飾ＩＤ更新部（筆跡データの色を変更する構成要素）を構成する回転調整部が設けられた電子ペンについて説明する。
【００３１】
図５に示すように、例えば、筆跡データの色を変更する構成要素の一例として、回転調整部１３０Ｃが電子ペン１００Ｃに備えられていることとすることができる。回転調整部１３０Ｃは、例えば、図５に示すように、色を選択できるように各色に対応する印が用意されており、ユーザによって回転調整部１３０Ｃが回転されて合わせられた印に対応する色ＩＤによって修飾ＩＤ記憶部（電子ペン１００に内蔵されたＦＬＡＳＨメモリなど）に記憶されている修飾ＩＤが更新される。
【００３２】
［１−６．色を変更するためのボタンがレシーバに設けられている場合］
図６は、本発明の第１実施形態に係る修飾ＩＤ更新部（筆跡データの色を変更する構成要素）を構成するボタンが表面に設けられたレシーバの概観を示す図である。図６を参照して、同実施形態に係る修飾ＩＤ更新部（筆跡データの色を変更する構成要素）を構成するボタンが表面に設けられたレシーバについて説明する。
【００３３】
図６に示すように、例えば、筆跡データの色を変更する構成要素の一例として、ボタン１３０Ａがレシーバ２００Ａに備えられていることとすることができる。図６に示す例では、ボタン１３０Ａが３つレシーバ２００Ａに備えられているが、ボタン１３０Ａの数は特に限定されるものではない。ボタン１３０Ａは、例えば、図６に示すように、色ごとに別個に用意され、ユーザによって押下されたボタン１３０Ａに対応する色ＩＤによって修飾ＩＤ記憶部（レシーバ２００に内蔵されたＦＬＡＳＨメモリなど）に記憶されている修飾ＩＤが更新されることとしてもよい。あるいは、ユーザによってボタン１３０Ａが押下されるたびに異なる色ＩＤによって修飾ＩＤ記憶部に記憶されている修飾ＩＤがサイクリックに更新されることとしてもよい。レシーバ２００Ａは、現在の修飾ＩＤを示すインジケータを表示するディスプレイ２３５を備えることとしてもよい。なお、図８には、電子ペン１００が修飾ＩＤ記憶部を備える場合について示されているが、レシーバ２００Ａが修飾ＩＤ更新部および修飾ＩＤ記憶部を備えることとしてもよい。
【００３４】
［１−７．色を変更するためのスライドがレシーバに設けられている場合］
図７は、本発明の第１実施形態に係る修飾ＩＤ更新部（筆跡データの色を変更する構成要素）を構成するスライドが表面に設けられたレシーバの概観を示す図である。図７を参照して、同実施形態に係る修飾ＩＤ更新部（筆跡データの色を変更する構成要素）を構成するスライドが表面に設けられたレシーバについて説明する。
【００３５】
図７に示すように、例えば、筆跡データの色を変更する構成要素の一例として、スライド１３０Ｂがレシーバ２００Ｂに備えられていることとすることができる。スライド１３０Ｂは、例えば、図７に示すように、色を選択できるように各色に対応する印が用意されており、ユーザによってスライド１３０Ｂが合わせられた印に対応する色ＩＤによって修飾ＩＤ記憶部（レシーバ２００に内蔵されたＦＬＡＳＨメモリなど）に記憶されている修飾ＩＤが更新される。レシーバ２００Ａは、現在の修飾ＩＤを示すインジケータを表示するディスプレイ２３５を備えることとしてもよい。
【００３６】
［１−８．電子ペンの機能構成］
図８は、本発明の第１実施形態に係る修飾ＩＤ更新部（筆跡データの色を変更する構成要素）が電子ペンに設けられ、位置検出部がレシーバに設けられている場合における電子ペンの機能構成を示す図である。図８を参照して、同実施形態に係る修飾ＩＤ更新部（筆跡データの色を変更する構成要素）が電子ペンに設けられ、位置検出部がレシーバに設けられている場合における電子ペンの機能構成について説明する。
【００３７】
図８に示すように、本発明の第１実施形態に係る電子ペン１００は、超音波発信素子１１０Ａと、赤外線発光素子１２０と、修飾ＩＤ更新部１３０と、修飾ＩＤ記憶部１４０と、修飾ＩＤ送信部１５０と、インク１６０とを主に備えるものである。超音波発信素子１１０Ａは、上記した例では、スピーカ１１１に相当するものであり、赤外線発光素子１２０は、上記した例では、ＬＥＤ１１２に相当するものである。
【００３８】
修飾ＩＤ記憶部１４０は、電子ペン１００のペン先の位置に対する修飾を識別するための修飾ＩＤを記憶する機能を有するものである。上記したように、修飾ＩＤ記憶部１４０は、電子ペン１００に備えられることとしてもよく、レシーバ２００に備えられることとしてもよい。修飾ＩＤ記憶部１４０は、記憶装置などにより構成され、例えば、ＦＬＡＳＨメモリなどによって構成される。電子ペン１００の位置に対する修飾は、例えば、電子ペン１００の位置をディスプレイに表示する際または紙面上に印刷する際に位置を着色するために使用される色を示すものである。
【００３９】
修飾ＩＤ更新部１３０は、修飾ＩＤ記憶部１４０によって記憶されている修飾ＩＤを更新する機能を有するものである。上記したように、修飾ＩＤ更新部１３０は、電子ペン１００に備えられることとしてもよく、レシーバ２００に備えられることとしてもよい。修飾ＩＤ更新部１３０は、上記したように、例えば、ボタン１３０Ａや、スライド１３０Ｂ、回転調整部１３０Ｃなどにより構成される。すなわち、修飾ＩＤ更新部１３０は、例えば、電子ペン１００の表面に設けられたボタン１３０Ａを含んでおり、ボタン１３０Ａがユーザによって押下された際に、押下されたボタン１３０Ａに対応するＩＤによって修飾ＩＤ記憶部１４０によって記憶されている修飾ＩＤを更新することとしてもよい。
【００４０】
また、修飾ＩＤ更新部１３０は、例えば、電子ペン１００の表面に設けられたスライド１３０Ｂを含んでおり、スライド１３０Ｂがユーザによって移動された際に、移動後にスライドが合わせられた位置に対応するＩＤによって修飾ＩＤを更新することとしてもよい。また、修飾ＩＤ更新部１３０は、電子ペン１００をねじることによって回転させることが可能な回転調整部１３０Ｃを含んでおり、回転調整部１３０Ｃがユーザによって回転させられた際に、回転後に回転調整部１３０Ｃが合わせられた位置に対応するＩＤによって修飾ＩＤを更新することとしてもよい。
【００４１】
修飾ＩＤ送信部１５０は、修飾ＩＤ記憶部１４０によって記憶されている修飾ＩＤをレシーバ２００に送信する機能を有するものである。修飾ＩＤ送信部１５０は、例えば、超音波発信素子１１０Ａによって構成され、修飾ＩＤを超音波に含めて送信することとすることができる。また、修飾ＩＤ送信部１５０は、例えば、赤外線発光素子１２０によって構成され、修飾ＩＤを赤外線に含めて送信することとすることとしてもよい。レシーバ２００が修飾ＩＤを受信するための受信素子を備えている場合には、修飾ＩＤ送信部１５０は、修飾ＩＤを送信するためのものであってもよい。その場合には、修飾ＩＤ送信部１５０は、超音波発信素子１１０Ａが発信する超音波や赤外線発光素子１２０が発信する赤外線とは別に修飾ＩＤを送信し、修飾ＩＤを受信するための受信素子に受信させることができる。修飾ＩＤ更新部１３０および修飾ＩＤ記憶部１４０がレシーバ２００に備えられている場合には、修飾ＩＤ送信部１５０は電子ペン１００に存在しないこととしてもよい。
【００４２】
インク１６０は、電子ペン１００に充填されており、上記したように、ユーザが電子ペン１００を使用して紙などに筆記を行うと、電子ペン１００に充填されているインクが筆記した跡に対して付着される。このようにすれば、紙面上においてもユーザは筆跡を確認することができる。しかし、いずれにしても筆跡データは、電子ペン１００に取り込まれるので、インク１６０は、電子ペン１００に充填されていなくてもよい。また、インク１６０の色としては、黒などの一色が使用されることとしてもよいし、修飾ＩＤ記憶部１４０によって記憶されている修飾ＩＤが更新されるたびに修飾ＩＤに対応する色のインクが使用されることとしてもよい。
【００４３】
その他に、上記したように、電子ペン１００は、例えば、ペン先に圧力センサを備えることとしてもよい。圧力センサは、ユーザが筆記している間にペン先が押されることによって生じる圧力を検出すると、送信装置１１０から赤外線および超音波が発信され、レシーバ２００は、赤外線および超音波を受信したときに電子ペン１００の位置を検出することとしてもよい。
【００４４】
また、電子ペン１００は、修飾ＩＤ記憶部１４０によって現在記憶されている修飾ＩＤが何であるかをユーザが把握することができるように、修飾ＩＤ記憶部１４０によって現在記憶されている修飾ＩＤに対応する色を表示する機能を有していてもよい。例えば、電子ペン１００は、修飾ＩＤ記憶部１４０によって現在記憶されている修飾ＩＤに対応する色を表示するＬＥＤを備えていることとしてもよい。
【００４５】
［１−９．レシーバの機能構成］
図９は、本発明の第１実施形態に係る修飾ＩＤ更新部（筆跡データの色を変更する構成要素）が電子ペンに設けられ、位置検出部がレシーバに設けられている場合におけるレシーバの機能構成を示す図である。図９を参照して、同実施形態に係る修飾ＩＤ更新部（筆跡データの色を変更する構成要素）が電子ペンに設けられ、位置検出部がレシーバに設けられている場合におけるレシーバの機能構成について説明する。
【００４６】
図９に示すように、レシーバ２００Ａは、超音波受信素子２１０Ａと、超音波受信素子２１０Ｂと、赤外線受信素子２２０と、修飾ＩＤ受信部２３０と、位置検出部２４０と、登録処理部２５０と、記憶部２６０と、送信部２７０とを主に備える。超音波受信素子２１０Ａは、上記した例では、マイク２１１Ａに相当するものであり、超音波受信素子２１０Ｂは、上記した例では、マイク２１１Ｂに相当するものであり、赤外線受信素子２２０は、上記した例では、フォトダイオード２１２に相当するものである。
【００４７】
修飾ＩＤ受信部２３０は、電子ペン１００から送信された修飾ＩＤを受信する機能を有するものである。修飾ＩＤ受信部２３０は、例えば、修飾ＩＤを受信するための受信素子によって構成される。しかし、修飾ＩＤが超音波や赤外線に含められて電子ペン１００から送信される場合には、修飾ＩＤ受信部２３０は、マイク２１１Ａによって構成されていてもよく、フォトダイオード２１２によって構成されていてもよく、マイク２１１Ｂによって構成されていてもよい。修飾ＩＤ更新部１３０および修飾ＩＤ記憶部１４０がレシーバ２００に備えられている場合には、修飾ＩＤ受信部２３０はレシーバ２００Ａに存在しないこととしてもよい。
【００４８】
位置検出部２４０は、電子ペン１００のペン先の位置を検出して電子ペン１００のペン先の位置を示す位置情報を取得する機能を有するものである。電子ペン１００のペン先の位置を検出する手法については、上記したように様々なものが想定され、特に限定されるものではない。しかし、本実施形態では、レシーバ２００が、赤外線・超音波方式によって電子ペン１００の位置を検出するものとする。電子ペン１００の位置を、例えば、アノト（登録商標）方式などによって検出する場合には、位置検出部２４０は、電子ペン１００に備えられることとなる。
【００４９】
登録処理部２５０は、修飾ＩＤ記憶部１４０によって記憶されている修飾ＩＤと位置検出部２４０によって取得された位置情報とを対応付けて対応情報として記憶部２６０に登録する機能を有するものである。修飾ＩＤ記憶部１４０が電子ペン１００に備えられている場合には、修飾ＩＤとしては、修飾ＩＤ送信部１５０によって電子ペン１００から送信され、レシーバ２００の修飾ＩＤ受信部２３０によって受信されたものを使用できる。位置検出部２４０が電子ペン１００に備えられている場合には、位置情報としては、電子ペン１００によって取得されて送信され、レシーバ２００によって受信されたものを使用することができる。
【００５０】
記憶部２６０は、上記したように、対応情報を記憶する機能を有するものである。記憶部２６０は、記憶装置によって構成され、例えば、上記したように、ＦＬＡＳＨメモリなどによって構成される。位置情報は、登録処理部２５０によってユーザの筆跡を示す筆跡データとして記憶部２６０に記録される。
【００５１】
送信部２７０は、記憶部２６０によって記憶されている対応情報を情報処理装置３００に送信する機能を有するものである。送信部２７０は、例えば、レシーバ２００と情報処理装置３００とが接続されたことがレシーバ２００Ａによって検知されると、情報処理装置３００に対応情報を送信する。レシーバ２００Ａが情報処理装置３００に内蔵される形態も想定されるが、そのような形態をとる場合には、送信部２７０が存在しないこととしてもよい。
【００５２】
［１−１０．情報処理装置の機能構成］
図１０は、本発明の第１実施形態に係る情報処理装置の機能構成を示す図である。図１０を参照して、同実施形態に係る情報処理装置の機能構成について説明する。
【００５３】
図１０に示すように、第１実施形態に係る情報処理装置３００Ａは、受信部３１０と、制御部３２０と、記憶部３３０と、表示部３４０と、入力部３５０とを主に備えるものである。
【００５４】
受信部３１０は、レシーバ２００から送信された対応情報を受信する機能を有するものである。対応情報は、上記したように、修飾ＩＤと筆跡データとが対応付けられた情報である。例えば、情報処理装置３００にレシーバ２００が内蔵される形態においては、受信部３１０は、存在しないこととしてもよい。受信部３１０は、例えば、通信装置によって構成されるものである。
【００５５】
制御部３２０は、情報処理装置３００Ａの動作を制御する機能を有するものである。制御部３２０は、例えば、受信部３１０によって受信された対応情報を記憶部３３０に記憶させる機能を有する。また、制御部３２０は、例えば、記憶部３３０によって記憶されている対応情報に基づいて、筆跡を表示部３４０に表示させる機能を有する。
【００５６】
制御部３２０は、記憶部３３０によって記憶されている対応情報に含まれる位置情報が示す位置のそれぞれについて、対応する修飾ＩＤによって識別される修飾を行い、修飾した結果を筆跡として表示部３４０に表示させる。制御部３２０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などによって構成され、記憶部３３０によって記憶されているプログラムがＣＰＵによってＲＡＭに展開されて実行されることによってその機能が実現される。
【００５７】
記憶部３３０は、制御部３２０によって使用されるデータやプログラムなどを記憶する機能を有するものである。記憶部３３０は、例えば、ＨＤＤ（Ｈａｒｄ  Ｄｉｓｋ  Ｄｒｉｖｅ）や半導体メモリなどの記憶装置によって構成されるものである。
【００５８】
表示部３４０は、制御部３２０から出力された各種データに従って、各種データを表示する機能を有するものである。表示部３４０は、例えば、表示装置によって構成されるものである。
【００５９】
入力部３５０は、ユーザからの操作情報の入力を受け付ける機能を有するものである。入力部３５０は、例えば、制御部３２０が記憶部３３０によって記憶されている対応情報を筆跡として表示部３４０に表示させるタイミングなどを指示するための操作情報などの入力を受け付ける機能を有する。入力部３５０は、例えば、マウスやキーボードなどといった入力装置によって構成されるものである。
【００６０】
［１−１１．電子ペンにボタンが存在する場合に電子ペンによって実行される処理］
図１１は、本発明の第１実施形態に係る修飾ＩＤ更新部（筆跡データの色を変更する構成要素）を構成するボタンが電子ペンに設けられている場合に電子ペンによって実行される処理の流れを示すフローチャートである。図１１を参照して、同実施形態に係る修飾ＩＤ更新部（筆跡データの色を変更する構成要素）を構成するボタンが電子ペンに設けられている場合に電子ペンによって実行される処理について説明する。
【００６１】
図１１に示すように、まず、電子ペン１００Ａは、スリープ状態にあるときに（ステップＳ１０１）、ユーザからの操作などによって電源がＯＮにされる（ステップＳ１０２）。電子ペン１００Ａは、スイッチ（ボタン１３０Ａ）から入力される電子ペン１００Ａの色モードを判断する処理を行い（ステップＳ１０３）、内部のＩＤを対応したモードに設定する（ステップＳ１０４）。色モードは、修飾ＩＤの一例であり、内部のＩＤは、上記した例では、修飾ＩＤ記憶部１４０によって記憶される修飾ＩＤに相当する。
【００６２】
次いで、電子ペン１００Ａは、設定された色ＩＤを赤外線または超音波によりレシーバ２００Ａに発信する（ステップＳ１０５）。ただし、色ＩＤは、上記したように、赤外線または超音波以外の手段によってレシーバ２００Ａに発信されることとしてもよい。色モードは、修飾ＩＤの一例である。電子ペン１００Ａは、スリープ状態に突入するためのタイマーをカウントし（ステップＳ１０６）、タイムアウトが発生したと判断した場合には（ステップＳ１０６で「Ｙｅｓ」）、ステップＳ１０１に戻り、タイムアウトがまだ発生していないと判断した場合には（ステップＳ１０６で「Ｎｏ」）、ステップＳ１０３に戻る。
【００６３】
［１−１２．電子ペンにボタンが存在する場合にレシーバによって実行される処理］
図１２は、本発明の第１実施形態に係る修飾ＩＤ更新部（筆跡データの色を変更する構成要素）を構成するボタンが電子ペンに設けられている場合にレシーバによって実行される処理の流れを示すフローチャートである。図１２を参照して、同実施形態に係る修飾ＩＤ更新部（筆跡データの色を変更する構成要素）を構成するボタンが電子ペンに設けられている場合にレシーバによって実行される処理について説明する。
【００６４】
図１２に示すように、まず、レシーバ２００Ａは、スリープ状態にあるときに（ステップＳ２０１）、ユーザからの操作などによって電源がＯＮにされる（ステップＳ２０２）。レシーバ２００Ａは、色ＩＤが設定された赤外線または超音波を受信し（ステップＳ２０３）、受信した赤外線または超音波から色ＩＤを取得する（ステップＳ２０４）。色ＩＤは、修飾ＩＤの一例である。
【００６５】
次いで、レシーバ２００Ａは、位置（筆跡データ）を色ＩＤと対応付けてＦＬＡＳＨメモリ（記憶部２６０の一例）に記憶させる（ステップＳ２０５）。レシーバ２００Ａは、スリープ状態に突入するためのタイマーをカウントし（ステップＳ２０６）、タイムアウトが発生したと判断した場合には（ステップＳ２０６で「Ｙｅｓ」）、ステップＳ２０１に戻り、タイムアウトがまだ発生していないと判断した場合には（ステップＳ２０６で「Ｎｏ」）、ステップＳ２０３に戻る。
【００６６】
＜２．第２実施形態（色を指定するための区画が配置された専用紙を使用する場合）＞
続いて、本発明の第２実施形態について説明する。本発明の第２実施形態は、色を指定するための区画が配置された専用紙を使用して、色を変更する形態である。本発明の第２実施形態に係る情報処理システムは、本発明の第１実施形態に係る情報処理システムとは、主にレシーバの構成が異なるものである。
【００６７】
［２−１．レシーバの機能構成］
図１３は、本発明の第２実施形態に係るレシーバの機能構成を示す図である。図１３を参照して、同実施形態に係るレシーバの機能構成について説明する。
【００６８】
図１３に示すように、本発明の第２実施形態に係るレシーバ２００Ｂは、本発明の第１実施形態に係るレシーバ２００Ａに備えられていた修飾ＩＤ受信部２３０を備えていないこととすることができる。また、本発明の第２実施形態に係るレシーバ２００Ｂは、修飾ＩＤ更新部１３０と、修飾ＩＤ記憶部１４０と、位置判断部２８０とを備えるものである。したがって、本発明の第２実施形態では、電子ペン１００は、修飾ＩＤ更新部１３０と、修飾ＩＤ記憶部１４０と、修飾ＩＤ送信部１５０とを備えていなくてもよい。
【００６９】
位置判断部２８０は、位置検出部２４０によって取得された位置情報を解析し、位置情報が所定区画内の位置を示すものであると判断した場合には、修飾ＩＤ更新部１３０に、所定区画に対応するＩＤによって修飾ＩＤ記憶部１４０によって記憶されている修飾ＩＤを更新させる機能を有する。所定区画については、図１４を用いて後に説明する。また、例えば、所定区画内の位置を示す区画位置情報とＩＤとが対応付けられてなる情報が、記憶部２６０によって記憶されている場合には、位置判断部２８０は、位置検出部２４０によって取得された位置情報と一致する区画位置情報に対応するＩＤを記憶部２６０から取得して修飾ＩＤ更新部１３０の更新に使用することができる。
【００７０】
［２−２．専用紙を使用する場合におけるレシーバの使用例］
図１４は、本発明の第２実施形態に係るレシーバの使用例を示す図である。図１４を参照して、同実施形態に係るレシーバの使用例について説明する。
【００７１】
図１４に示すように、ユーザが電子ペン１００によって筆記するために使用される紙４００には、区画４１０Ａが示されている。区画４１０Ａは、ここでは３つが示されているが、区画４１０Ａの数は複数であれば特に限定されるものではない。ユーザが電子ペン１００を使用して区画４１０Ａのいずれかの内部をタッチすると、レシーバ２００Ｂは、タッチされた位置を示す位置情報を解析して、位置情報が区画４１０Ａのいずれかの内部の位置を示すものであると判断する。
【００７２】
これを実現するためには、例えば、紙４００にレシーバ２００Ｂの設置位置を示す印があらかじめ記載されているとともにレシーバ２００Ｂが区画４１０Ａの位置をあらかじめ記憶している場合には、ユーザはその印に合わせてレシーバ２００Ｂを設置すればよい。あるいは、紙４００に補正用の印が記載されているとともにレシーバ２００Ｂがその補正用の印の位置と区画４１０Ａの位置との変位をあらかじめ記憶しており、ユーザがレシーバ２００Ｂを紙４００の適当な箇所に設置して電子ペン１００を使用して補正用の印をタッチすると、レシーバ２００Ｂが、ユーザがタッチしたその位置と変位とに基づいて区画４１０Ａの位置を補正することとしてもよい。
【００７３】
［２−３．レシーバによって実行される処理］
図１５は、本発明の第２実施形態に係るレシーバによって実行される処理の流れを示すフローチャートである。図１５を参照して、同実施形態に係るレシーバによって実行される処理について説明する。
【００７４】
図１５に示すように、まず、レシーバ２００Ｂは、スリープ状態にあるときに（ステップＳ３０１）、ユーザからの操作などによって電源がＯＮにされる（ステップＳ３０２）。レシーバ２００Ｂは、赤外線と超音波を受信し（ステップＳ３０３）、受信した赤外線と超音波に基づいて位置を確認する（ステップＳ３０４）。
【００７５】
次いで、レシーバ２００Ｂは、確認した位置が色変更パレット位置か否かを判断する（ステップＳ３０５）。色変更パレット位置は、上記した例では、区画４１０Ａ内の位置に相当する。レシーバ２００Ｂは、確認した位置が色変更パレット位置ではないと判断した場合には（ステップＳ３０５で「Ｎｏ」）、ステップＳ３０７に進む。レシーバ２００Ｂは、確認した位置が色変更パレット位置であると判断した場合には（ステップＳ３０５で「Ｙｅｓ」）、内部で管理する色ＩＤを変更し（ステップＳ３０６）、ステップＳ３０７に進む。内部で管理する色ＩＤは、上記した修飾ＩＤ記憶部１４０によって記憶されている修飾ＩＤの一例である。
【００７６】
レシーバ２００Ｂは、確認した位置（筆跡データ）を色ＩＤと対応付けてＦＬＡＳＨメモリ（記憶部２６０の一例）に記憶させる（ステップＳ３０７）。レシーバ２００Ｂは、スリープ状態に突入するためのタイマーをカウントし（ステップＳ３０８）、タイムアウトが発生したと判断した場合には（ステップＳ３０８で「Ｙｅｓ」）、ステップＳ３０１に戻り、タイムアウトがまだ発生していないと判断した場合には（ステップＳ３０８で「Ｎｏ」）、ステップＳ３０３に戻る。
【００７７】
＜３．第３実施形態（情報処理装置が筆跡データの色を変更する場合）＞
続いて、本発明の第３実施形態について説明する。本発明の第３実施形態は、情報処理装置が筆跡データの色を変更する形態である。本発明の第３実施形態に係る情報処理システムは、本発明の第１実施形態に係る情報処理システムとは、主に情報処理装置の構成が異なるものである。
【００７８】
［３−１．情報処理装置の機能構成］
図１６は、本発明の第３実施形態に係る情報処理装置の機能構成を示す図である。図１６を参照して、同実施形態に係る情報処理装置の機能構成について説明する。
【００７９】
図１６に示すように、本発明の第３実施形態に係る情報処理装置３００Ｃは、本発明の第１実施形態に係る情報処理装置３００Ａと比較して、更新処理部３６０を備える点において異なるものである。なお、本発明の第１実施形態に係る電子ペン１００Ａまたはレシーバ２００Ａに設けられていた修飾ＩＤ更新部１３０、修飾ＩＤ記憶部１４０、修飾ＩＤ送信部１５０、修飾ＩＤ受信部２３０などは、本発明の第３実施形態では、存在しないこととしてもよい。
【００８０】
更新処理部３６０は、記憶部３３０によって記憶されている位置情報に基づいて、位置情報が示す位置に対する修飾を識別するための修飾ＩＤを特定するとともに修飾ＩＤを付加すべきエリアである修飾ＩＤ変更エリアを特定する機能を有するものである。また、情報処理装置３００Ｃは、特定した修飾ＩＤを特定した修飾ＩＤ変更エリアの位置情報に付加する機能を有するものである。更新処理部３６０の機能の詳細について図１７を参照して説明する。
【００８１】
［３−２．情報処理装置によって筆跡データの色を変更する手法］
図１７は、本発明の第３実施形態に係る情報処理装置によって筆跡データの色を変更する手法について説明するための図である。図１７を参照して、同実施形態に係る情報処理装置によって筆跡データの色を変更する手法について説明する。
【００８２】
図１７に示すように、更新処理部３６０は、記憶部３３０によって記憶されている位置情報に基づいて、位置情報に所定のマークが存在するか否かを判断する。更新処理部３６０は、所定のマークが存在すると判断した場合に所定のマークによって規定される位置に対して付される色を識別するためのＩＤを修飾ＩＤとして特定する。所定のマークとしては、以下に説明するように様々な形状のもの（鍵括弧、楕円、長方形など）が想定される。更新処理部３６０は、例えば、記憶部３３０によって記憶されている位置情報に基づいて、鍵括弧が存在するか否かを判断する。更新処理部３６０は、鍵括弧が存在すると判断した場合には、その鍵括弧の形状から修飾ＩＤを特定することができる。例えば、記憶部３３０には、鍵括弧の形状と修飾ＩＤとが対応付けられてなる情報が記憶されており、更新処理部３６０は、鍵括弧の形状をもとにその情報から修飾ＩＤを取得することができる。鍵括弧の形状には、右下を括る鍵括弧（」）や左上を括る鍵括弧（「）などがある。記憶部３３０は、例えば、右下を括る鍵括弧（」）と赤色を示す情報とが対応付けられた情報や、左上を括る鍵括弧（「）と青色を示す情報とが対応付けられた情報を記憶しておくことができる。
【００８３】
また、図１７に示すように、更新処理部３６０は、例えば、上記したような鍵括弧を含む最小の長方形内のエリアを、修飾ＩＤを付加すべきエリアである修飾ＩＤ変更エリアとして特定することができる。修飾ＩＤ変更エリアは、上記した所定のマークによって規定される位置に相当する。また、更新処理部３６０は、鍵括弧に含まれる最大の長方形のエリアを、修飾ＩＤ変更エリアとして特定することとしてもよい。なお、ここでは、更新処理部３６０は、所定のマークとして鍵括弧を使用して修飾ＩＤと修飾ＩＤ変更エリアとを特定することとしたが、鍵括弧以外の所定のマークを使用して修飾ＩＤと修飾ＩＤ変更エリアとを特定することもできる。鍵括弧以外のマークとしては、例えば、楕円や長方形などが想定される。
【００８４】
［３−３．情報処理装置によって筆跡データの色を変更する段階］
図１８は、本発明の第３実施形態に係る情報処理装置によって筆跡データの色を変更する段階について説明するための図である。図１８を参照して、同実施形態に係る情報処理装置によって筆跡データの色を変更する段階について説明する。
【００８５】
図１８に示すように、ユーザが電子ペン１００を使用しながら筆記を行っている間に、色を変更したい箇所が出てきた場合には、例えば、その箇所に鍵括弧を記載する。例えば、赤色に変更したい箇所には、右下を括る鍵括弧（」）を記載し、青色に変更したい箇所には、左上を括る鍵括弧（「）を記載する。すると、上記したような情報処理装置３００Ｃが有する機能により、右下を括る鍵括弧（」）や左上を括る鍵括弧（「）の位置が認識され、それぞれを含む最小の長方形が、赤色を示す修飾ＩＤを付加すべきエリア、青色を示す修飾ＩＤを付加すべきエリアであると特定される。そして、情報処理装置３００Ｃによって、それぞれのエリアに属する筆跡が赤色、青色に修飾されて表示される。
【００８６】
［３−４．情報処理装置によって実行される処理］
図１９は、本発明の第３実施形態に係る情報処理装置によって筆跡データの色を変更する処理の流れを示すフローチャートである。図１９を参照して、同実施形態に係る情報処理装置によって筆跡データの色を変更する処理について説明する。
【００８７】
図１９に示すように、まず、情報処理装置３００Ｃに、データが取り込まれる（ステップＳ４０１）。情報処理装置３００Ｃは、取り込まれたデータから鍵括弧のマーキングを検索し（ステップＳ４０２）、鍵括弧のマーキングの形状から色変更エリアを特定し（ステップＳ４０３）、特定した色変更エリアにある筆跡データに対応する色ＩＤを変更する（ステップＳ４０４）。次いで、情報処理装置３００Ｃは、筆跡データと色ＩＤとに基づいて、筆跡を画面に表示する（ステップＳ４０５）。
【００８８】
＜４．第４実施形態（電子ペンまたは受信装置が筆跡データを消す場合）＞
続いて、本発明の第４実施形態について説明する。本発明の第４実施形態は、情報処理システムを構成する電子ペンまたは受信装置が筆跡データを消す形態である。
【００８９】
［４−１．筆跡データを消すための消しゴムが電子ペンに設けられている場合］
図２０は、本発明の第４実施形態に係る修飾ＩＤ更新部（筆跡データを消す構成要素）を構成する消しゴムがペン先と反対側の端部に設けられた電子ペンの概観を示す図である。図２０を参照して、同実施形態に係る修飾ＩＤ更新部（筆跡データを消す構成要素）を構成する消しゴムがペン先と反対側の端部に設けられた電子ペンについて説明する。
【００９０】
図２０に示すように、筆跡データを消す構成要素の一例として、消しゴム１３０Ｄが電子ペン１００Ｄに備えられていることとすることができる。消しゴム１３０Ｄは、典型的には、電子ペン１００Ｄのペン先と反対側の端部に設けられるものであるが、どこに設けられてもよいものである。消しゴム１３０Ｄは、修飾ＩＤ更新部１３０を構成する構成要素の一例である。この場合、修飾ＩＤ更新部１３０は、例えば、電子ペン１００Ｄのペン先と反対側の端部にある圧力センサを含んでおり、圧力センサによって圧力が検出された際に、電子ペン１００Ｄのペン先と反対側の端部に対応するＩＤによって修飾ＩＤ記憶部１４０によって記憶されている修飾ＩＤを更新する。
【００９１】
位置検出部２４０は、電子ペン１００Ｄのペン先と反対側の端部の位置を検出して、位置情報として電子ペン１００Ｄのペン先と反対側の端部の位置を示す位置情報を取得する。例えば、電子ペン１００Ｄのペン先と反対側の端部にある圧力センサが圧力を検出したら、ペン先にある送信装置１１０からの超音波および赤外線の発信は停止され、代わりに、ペン先と反対側の端部にある図示しない送信装置から超音波および赤外線が発信される。電子ペン１００Ｄのペン先と反対側の端部に対応するＩＤは、例えば、ペン先と反対側の端部にある図示しない送信装置から発信される超音波または赤外線に含められて送信される。
【００９２】
例えば、電子ペン１００Ｄのペン先が鉛筆の芯によって構成されている場合には、消しゴム１３０Ｄは、電子ペン１００Ｄによって筆記された鉛筆による筆跡を消す機能を有していてもよい。また、電子ペン１００Ｄのペン先がインクによって構成され、インクにより筆記できる場合には、消しゴム１３０Ｄは、電子ペン１００Ｄによって筆記されたインクによる筆跡を消す修正ペンのような機能を有していてもよい。
【００９３】
［４−２．筆跡データを消すための消しゴムがスティックに設けられている場合］
図２１は、本発明の第４実施形態に係る修飾ＩＤ更新部（筆跡データを消す構成要素）を構成する消しゴムが設けられたスティックの概観を示す図である。図２１を参照して、同実施形態に係る修飾ＩＤ更新部（筆跡データを消す構成要素）を構成する消しゴムが設けられたスティックについて説明する。
【００９４】
図２１に示すように、ユーザは、消しゴム１３０Ｄが設けられたスティックＳＴを使用することとしてもよい。スティックＳＴは、図２０に示した電子ペン１００Ｄと同様の機能を有するものである。
【００９５】
［４−３．筆跡データを消すためのスライドが電子ペンに設けられている場合］
図２２は、本発明の第４実施形態に係る修飾ＩＤ更新部（筆跡データを消す構成要素）を構成するスライドが表面に設けられた電子ペンの概観を示す図である。図２２を参照して、同実施形態に係る修飾ＩＤ更新部（筆跡データを消す構成要素）を構成するスライドが表面に設けられた電子ペンについて説明する。
【００９６】
図２２に示すように、例えば、筆跡データを消す構成要素の一例として、スライド１３０Ｅが電子ペン１００Ｅに備えられていることとすることができる。スライド１３０Ｅは、例えば、図２２に示すように、色を選択できるように各色に対応する印が用意されており、ユーザによってスライド１３０Ｅが合わせられた印に対応する色ＩＤによって修飾ＩＤ記憶部（電子ペン１００に内蔵されたＦＬＡＳＨメモリなど）に記憶されている修飾ＩＤが更新される。
【００９７】
［４−４．筆跡データを消すためのボタンがレシーバに設けられている場合］
図２３は、本発明の第４実施形態に係る修飾ＩＤ更新部（筆跡データを消す構成要素）を構成するボタンが表面に設けられたレシーバの概観を示す図である。図２３を参照して、同実施形態に係る修飾ＩＤ更新部（筆跡データを消す構成要素）を構成するボタンが表面に設けられたレシーバについて説明する。
【００９８】
図２３に示すように、筆跡データを消す構成要素の一例として、ボタン１３０Ｆがレシーバ２００Ｃに備えられていることとすることができる。図２３に示す例では、ボタン１３０Ｆが２つレシーバ２００Ａに備えられているが、ボタン１３０Ａの数は特に限定されるものではない。ボタン１３０Ｆは、例えば、図２３に示すように、色ごとに別個に用意され、ユーザによって押下されたボタン１３０Ｆに対応する色ＩＤによって修飾ＩＤ記憶部（レシーバ２００に内蔵されたＦＬＡＳＨメモリなど）に記憶されている修飾ＩＤが更新されることとしてもよい。あるいは、ユーザによってボタン１３０Ｆが押下されるたびに異なる色ＩＤによって修飾ＩＤ記憶部に記憶されている修飾ＩＤがサイクリックに更新されることとしてもよい。レシーバ２００Ｃは、現在の修飾ＩＤを示すインジケータを表示するディスプレイ２３５を備えることとしてもよい。なお、図８には、電子ペン１００が修飾ＩＤ記憶部を備える場合について示されているが、レシーバ２００Ｃが修飾ＩＤ更新部および修飾ＩＤ記憶部を備えることとしてもよい。
【００９９】
［４−５．筆跡データを消すためのスライドがレシーバに設けられている場合］
図２４は、本発明の第４実施形態に係る修飾ＩＤ更新部（筆跡データを消す構成要素）を構成するスライドが表面に設けられたレシーバの概観を示す図である。図２４を参照して、同実施形態に係る修飾ＩＤ更新部（筆跡データを消す構成要素）を構成するスライドが表面に設けられたレシーバについて説明する。
【０１００】
図２４に示すように、例えば、筆跡データの色を消す構成要素の一例として、スライド１３０Ｅがレシーバ２００Ｄに備えられていることとすることができる。スライド１３０Ｅは、例えば、図２４に示すように、色を選択できるように各色に対応する印が用意されており、ユーザによってスライド１３０Ｅが合わせられた印に対応する色ＩＤによって修飾ＩＤ記憶部（レシーバ２００に内蔵されたＦＬＡＳＨメモリなど）に記憶されている修飾ＩＤが更新される。レシーバ２００Ｄは、現在の修飾ＩＤを示すインジケータを表示するディスプレイ２３５を備えることとしてもよい。
【０１０１】
［４−６．電子ペンに消しゴムが存在する場合に電子ペンによって実行される処理］
図２５は、本発明の第４実施形態に係る修飾ＩＤ更新部（筆跡データを消す構成要素）を構成する消しゴムが電子ペンに設けられている場合に電子ペンによって実行される処理の流れを示すフローチャートである。図２５を参照して、同実施形態に係る修飾ＩＤ更新部（筆跡データを消す構成要素）を構成する消しゴムが電子ペンに設けられている場合に電子ペンによって実行される処理について説明する。
【０１０２】
図２５に示すように、まず、電子ペン１００Ｄは、スリープ状態にあるときに（ステップＳ５０１）、ユーザからの操作などによって電源がＯＮにされる（ステップＳ５０２）。電子ペン１００Ｄは、消しゴム１３０Ｄ側の筆圧がＯｎであるか否かを判断する（ステップＳ５０３）。電子ペン１００Ｄは、消しゴム１３０Ｄ側の筆圧がＯｎではないと判断した場合には（ステップＳ５０３で「Ｎｏ」）、内部のＩＤをペンモードに設定して（ステップＳ５０４）、ステップＳ５０６に進む。電子ペン１００Ｄは、消しゴム１３０Ｄ側の筆圧がＯｎであると判断した場合には（ステップＳ５０３で「Ｙｅｓ」）、内部のＩＤを消しゴムモードに設定して（ステップＳ５０５）、ステップＳ５０６に進む。内部のＩＤは、上記した例では、修飾ＩＤ記憶部１４０によって記憶される修飾ＩＤに相当する。
【０１０３】
次いで、電子ペン１００Ｄは、設定されていない側からの赤外線および超音波の発信を停止し、設定された側からＩＤを赤外線または超音波により発信する（ステップＳ５０６）。ただし、ＩＤは、上記したように、赤外線または超音波以外の手段によってレシーバ２００に発信されることとしてもよい。ＩＤは、修飾ＩＤの一例である。電子ペン１００Ｄは、スリープ状態に突入するためのタイマーをカウントし（ステップＳ５０７）、タイムアウトが発生したと判断した場合には（ステップＳ５０７で「Ｙｅｓ」）、ステップＳ５０１に戻り、タイムアウトがまだ発生していないと判断した場合には（ステップＳ５０７で「Ｎｏ」）、ステップＳ５０３に戻る。
【０１０４】
［４−７．電子ペンに消しゴムが存在する場合にレシーバによって実行される処理］
図２６は、本発明の第４実施形態に係る修飾ＩＤ更新部（筆跡データを消す構成要素）を構成する消しゴムが電子ペンに設けられている場合にレシーバによって実行される処理の流れを示すフローチャートである。図２６を参照して、同実施形態に係る修飾ＩＤ更新部（筆跡データを消す構成要素）を構成する消しゴムが電子ペンに設けられている場合にレシーバによって実行される処理について説明する。
【０１０５】
図２６に示すように、まず、レシーバ２００は、スリープ状態にあるときに（ステップＳ６０１）、ユーザからの操作などによって電源がＯＮにされる（ステップＳ６０２）。レシーバ２００Ａは、色ＩＤが設定された赤外線または超音波を受信し（ステップＳ６０３）、受信した赤外線または超音波から色ＩＤを取得する（ステップＳ６０４）。色ＩＤは、修飾ＩＤの一例である。
【０１０６】
次いで、レシーバ２００は、位置（筆跡データ）をＩＤと対応付けてＦＬＡＳＨメモリ（記憶部２６０の一例）に記憶させる（ステップＳ６０５）。レシーバ２００は、スリープ状態に突入するためのタイマーをカウントし（ステップＳ６０６）、タイムアウトが発生したと判断した場合には（ステップＳ６０６で「Ｙｅｓ」）、ステップＳ６０１に戻り、タイムアウトがまだ発生していないと判断した場合には（ステップＳ６０６で「Ｎｏ」）、ステップＳ６０３に戻る。
【０１０７】
＜５．第５実施形態（情報処理装置が筆跡データを消す場合）＞
続いて、本発明の第５実施形態について説明する。本発明の第５実施形態は、情報処理装置が筆跡データを消す形態である。本発明の第５実施形態では、更新処理部３６０は、記憶部３３０によって記憶されている位置情報に基づいて、位置情報に所定のマークが存在するか否かを判断する。更新処理部３６０は、所定のマークが存在すると判断した場合に所定のマークによって規定される位置情報を消去する旨を識別するためのＩＤを修飾ＩＤとして特定する。所定のマークとしては、第３実施形態において説明したように様々な形状のもの（鍵括弧、楕円、長方形など）が想定される。
【０１０８】
［５−１．情報処理装置によって筆跡データを消す段階（手法１）］
図２７は、本発明の第５実施形態に係る情報処理装置によって筆跡データを消す段階（手法１）について説明するための図である。図２７を参照して、同実施形態に係る情報処理装置によって筆跡データを消す段階（手法１）について説明する。
【０１０９】
図２７に示すように、ユーザが電子ペン１００を使用しながら筆記を行っている間に、筆跡データを消したい箇所が出てきた場合には、例えば、その箇所を括弧で囲む。括弧は、どのような形の括弧でもよい。すると、情報処理装置３００が有する機能により、鍵括弧「」や丸括弧（）の位置が認識され、括弧を含む最小の長方形が、白色を示す修飾ＩＤを付加すべきエリアであると特定される。そして、情報処理装置３００によって、エリアに属する筆跡が消されて（白色に修飾されて）表示される。
【０１１０】
［５−２．情報処理装置によって筆跡データを消す段階（手法２）］
図２８は、本発明の第５実施形態に係る情報処理装置によって筆跡データを消す段階（手法２）について説明するための図である。図２８を参照して、同実施形態に係る情報処理装置によって筆跡データを消す段階（手法２）について説明する。
【０１１１】
図２８に示すように、ユーザは、筆跡データを消したい箇所について括弧で囲む以外に、長方形で囲むこととしてもよい。すると、情報処理装置３００が有する機能により、長方形の位置が認識され、その長方形を含む最小の長方形が、白色を示す修飾ＩＤを付加すべきエリアであると特定される。そして、情報処理装置３００によって、エリアに属する筆跡が消されて（白色に修飾されて）表示される。
【０１１２】
［５−３．情報処理装置によって筆跡データを消す段階（手法３）］
図２９は、本発明の第５実施形態に係る情報処理装置によって筆跡データを消す段階（手法３）について説明するための図である。図２９を参照して、同実施形態に係る情報処理装置によって筆跡データを消す段階（手法３）について説明する。
【０１１３】
図２９に示すように、ユーザは、筆跡データを消したい文字について、その文字をなぞることとしてもよい。すると、情報処理装置３００が有する機能により、ユーザによってなぞられた文字が認識され、その文字が消されて（白色に修飾されて）表示される。
【０１１４】
［５−４．情報処理装置によって実行される処理］
図３０は、本発明の第５実施形態に係る情報処理装置によって筆跡データを消す処理の流れを示すフローチャートである。図３０を参照して、同実施形態に係る情報処理装置によって筆跡データを消す処理について説明する。
【０１１５】
図３０に示すように、まず、情報処理装置３００に、データが取り込まれる（ステップＳ７０１）。情報処理装置３００は、消しゴムモードのＩＤに対応する筆跡データの中から括弧の形状を検索し（ステップＳ７０２）、括弧のマーキングの形状から色変更エリアを特定し（ステップＳ７０３）、特定した色変更エリアにある筆跡データに対応するＩＤを白に変更する（ステップＳ７０４）。次いで、情報処理装置３００は、筆跡データとＩＤとに基づいて、筆跡を画面に表示する（ステップＳ７０５）。
【０１１６】
＜６．変形例＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１７】
＜７．まとめ＞
本実施形態によれば、ユーザが電子ペンを用いて筆跡データを入力している段階で筆跡データを修飾することが可能である。これにより、ユーザは、自身が筆跡データを入力している段階で考えた筆跡データに対する修飾について、筆跡データをＰＣに取り込ませた後に思い出さなくてはならず、ユーザに負担がかかるという問題が解消される。また、ＰＣに対する操作が煩わしいと感じるユーザにとって、ＰＣに取り込ませてから筆跡データを修飾する作業は不便であった。特に、ＰＣでの画像編集の分類を行うのは、マウス操作を行うとしてもユーザにとって負担となる。本実施形態によれば、このような問題も解消される。
【０１１８】
また、専用紙に設けられた区画を電子ペンでタッチすることによる修飾ＩＤの変更や、情報処理装置によって修飾ＩＤ変更エリアを特定する手法では、電子ペンやレシーバに新たにハードウェアを追加する必要がない。したがって、低コストで修飾する作業を行うことができる。
【符号の説明】
【０１１９】
１０    情報処理システム
１００、１００Ａ、１００Ｂ、１００Ｃ、１００Ｄ、１００Ｅ  電子ペン
１３０  修飾ＩＤ更新部
１３０Ａ  ボタン
１３０Ｂ  スライド
１３０Ｃ  回転調整部
１３０Ｄ  消しゴム
１３０Ｅ  スライド
１３０Ｆ  ボタン
１４０  修飾ＩＤ記憶部
１５０  修飾ＩＤ送信部
２００  レシーバ
２００Ａ、２００Ｂ、２００Ｃ、２００Ｄ  レシーバ（受信装置）
２３０  修飾ＩＤ受信部
２４０  位置検出部
２５０  登録処理部
２６０  記憶部
２７０  送信部
２８０  位置判断部
３００、３００Ａ、３００Ｃ  情報処理装置
３１０  受信部
３２０  制御部
３３０  記憶部
３４０  表示部
３５０  入力部
３６０  更新処理部
４００  紙
４１０Ａ  区画
【図１】
2011123833.tif 000003
【図２】
2011123833.tif 000004
【図３】
2011123833.tif 000005
【図４】
2011123833.tif 000006
【図５】
2011123833.tif 000007
【図６】
2011123833.tif 000008
【図７】
2011123833.tif 000009
【図８】
2011123833.tif 000010
【図９】
2011123833.tif 000011
【図１０】
2011123833.tif 000012
【図１１】
2011123833.tif 000013
【図１２】
2011123833.tif 000014
【図１３】
2011123833.tif 000015
【図１４】
2011123833.tif 000016
【図１５】
2011123833.tif 000017
【図１６】
2011123833.tif 000018
【図１７】
2011123833.tif 000019
【図１８】
2011123833.tif 000020
【図１９】
2011123833.tif 000021
【図２０】
2011123833.tif 000022
【図２１】
2011123833.tif 000023
【図２２】
2011123833.tif 000024
【図２３】
2011123833.tif 000025
【図２４】
2011123833.tif 000026
【図２５】
2011123833.tif 000027
【図２６】
2011123833.tif 000028
【図２７】
2011123833.tif 000029
【図２８】
2011123833.tif 000030
【図２９】
2011123833.tif 000031
【図３０】
2011123833.tif 000032